(57)【特許請求の範囲】
【請求項１】
装着型デバイスであって、
前記装着型デバイスをユーザの体に固定するための装置と、
1つまたは複数の生体センサを含むセンサシステムであって、前記1つまたは複数の生体センサは、前記装着型デバイスが装着されているユーザの体の部分に対応する画像データを取得することが可能な超音波センサを含み、前記センサシステムは、ユーザの体から第1の生体データを取得することが可能であり、前記第1の生体データは、前記超音波センサによって取得される画像データを含み、前記画像データは、毛包画像データ、毛穴画像データ、皮膚乳頭画像データおよび皮下血管画像データからなるグループから選択される少なくとも1つのタイプの画像データを含む、センサシステムと、
ワイヤレスインターフェースシステムと、
物質送達システムと、
制御システムと
を備え、前記制御システムは、
前記センサシステムから前記第1の生体データを受信すること、
前記第1の生体データに基づいて、第1の生体認証情報を判断することであって、前記第1の生体認証情報は、前記第1の生体データの表現を含む、判断すること、
前記ワイヤレスインターフェースシステムを介して、前記第1の生体認証情報を第2のデバイスに提供すること、
前記ワイヤレスインターフェースシステムを介して、前記第2のデバイスから制御信号を受信すること、および
前記制御信号に従って前記センサシステム、前記物質送達システム、またはそれらの組み合わせを制御すること
が可能である、装着型デバイス。
【請求項２】
前記制御システムは、
セキュアな処理およびメモリリソースを含み、
前記第1の生体認証情報を暗号化することが可能であるか、または
前記第2のデバイスから受信された前記制御信号を含む情報を解読することが可能である、請求項1に記載のデバイス。
【請求項３】
前記センサシステムは1つまたは複数の生理学的センサを含む、請求項1に記載のデバイス。
【請求項４】
前記第1の生体データは、指紋データ、声データ、網膜データ、および前記ユーザの心臓の電気活性を示すデータからなるグループから選択される少なくとも1つのタイプのデータも含む、請求項1に記載のデバイス。
【請求項５】
前記物質送達システムは、薬物送達システムまたはホルモン送達システムのうちの少なくとも1つを含む、請求項1に記載のデバイス。
【請求項６】
前記制御システムは、
前記ユーザの体から第2の生体データを取得するように前記センサシステムを制御すること、
前記センサシステムから前記第2の生体データを受信すること、
前記第2の生体データに基づいて第2の生体認証情報を判断すること、および
前記ワイヤレスインターフェースシステムを介して、前記第2の生体認証情報を前記第2のデバイスに提供すること
がさらに可能である、請求項1に記載のデバイス。
【請求項７】
前記第2の生体データと前記第1の生体データは異なるタイプの生体データを含む、請求項6に記載のデバイス。
【請求項８】
前記制御システムは、
前記第1の生体認証情報または前記第2の生体認証情報のうちの少なくとも1つを、記憶されている生体情報と比較することによって、現在のユーザが認可ユーザであるかどうか判断すること、および
前記制御システムが、前記現在のユーザが前記認可ユーザであると判断した場合、前記記憶されている生体情報を、前記第1の生体認証情報または前記第2の生体認証情報のうちの少なくとも1つに関連付けること
がさらに可能である、請求項7に記載のデバイス。
【請求項９】
前記第2の生体データと前記第1の生体データは、異なるときに取得された1つのタイプの生体データを含む、請求項6に記載のデバイス。
【請求項１０】
前記制御システムは、定期的に、またはイベントが発生すると、前記第2の生体データを取得するように、前記センサシステムを制御することがさらに可能である、請求項9に記載のデバイス。
【請求項１１】
前記制御システムは、
前記ワイヤレスインターフェースシステムを介して、前記ユーザが認証されているかどうかを示す、前記第2のデバイスからの認証指示を受信すること、および
前記認証指示に従って前記デバイスを制御すること
がさらに可能である、請求項1に記載のデバイス。
【請求項１２】
前記制御システムは、前記ユーザが認証されていないことを前記認証指示が示す場合、前記デバイスの少なくとも1つの機能を防止または停止することが可能である、請求項11に記載のデバイス。
【請求項１３】
体に装着型デバイスが現在固定されているユーザから、前記装着型デバイスのセンサシステムを介して、第1の生体データを取得するステップであって、前記第1の生体データは、前記装着型デバイスの超音波センサによって取得される画像データを含み、前記画像データは、毛包画像データ、毛穴画像データ、皮膚乳頭画像データおよび皮下血管画像データからなるグループから選択される少なくとも1つのタイプの画像データを含む、ステップと、
前記装着型デバイスの制御システムによって、前記第1の生体データに基づいて、第1の生体認証情報を判断するステップと、
前記装着型デバイスのインターフェースシステムを介して、前記第1の生体認証情報を第2のデバイスに提供するステップと、
前記装着型デバイスの前記インターフェースシステムを介して、前記第2のデバイスから信号を受信するステップと、
前記装着型デバイスの前記制御システムによって、前記信号に従って前記装着型デバイスを制御するステップであって、前記装着型デバイスは物質送達システムを備える、制御するステップと
を含む方法。
【請求項１４】
前記装着型デバイスを制御するステップは、前記ユーザの体から生理学的データを取得するステップを伴う、請求項13に記載の方法。
【請求項１５】
前記装着型デバイスを制御するステップは、前記ユーザが認証されていないことを前記信号が示す場合、前記装着型デバイスの少なくとも1つの機能を防止または停止するステップを伴う、請求項13に記載の方法。
【発明の詳細な説明】
【技術分野】
【０００１】
優先権の主張
本出願は、参照により本明細書に組み込まれている、2014年5月2日に出願し、「BIOMETRICS FOR USER IDENTIFICATION IN MOBILE HEALTH SYSTEMS」と題する米国特許出願第14/268,245号に対する優先権を主張する。
【０００２】
本開示は概して、モバイルヘルスデバイス、方法およびシステムに関する。
【背景技術】
【０００３】
モバイルデバイスがより多用途になるのに従って、ユーザ認証がますます重要になっている。ますます多くの量の個人情報が、モバイルデバイスに記憶され、かつ/またはモバイルデバイスによってアクセス可能になっている。たとえば、いくつかのモバイルデバイスは、ユーザの生理学的データを監視することが可能であり得る。そのようなデバイスを含むシステムは、ユーザの生理学的データの遠隔監視を可能にし得る。そのようなシステムは、ヘルスケア産業における潜在的価値が大きいが、たとえば、患者の個人情報の秘匿に関して課題をもたらしている。
【発明の概要】
【課題を解決するための手段】
【０００４】
本開示のシステム、方法、およびデバイスの各々は、複数の発明的態様を有し、それらの態様のうちのどれも本明細書に開示されている望ましい属性に単独で関与することはない。
【０００５】
本開示に記載する主題の1つの発明的態様は、センサシステム、ワイヤレスインターフェースシステムおよび制御システムを含み得るデバイスにおいて実装することができる。センサシステムは、1つまたは複数の生体センサを含み得る。センサシステムは、ユーザの体から第1の生体データを取得することが可能であり得る。いくつかの例では、第1の生体データは、指紋データ、声データ、網膜データ、ユーザの心臓の電気活性を示すデータ、毛包データ、毛穴データ、皮膚乳頭データおよび/または皮下血管データを含み得る。
【０００６】
制御システムは、センサシステムから第1の生体データを受信し、第1の生体データに基づいて、第1の生体認証情報を判断することが可能であり得る。第1の生体認証情報は、第1の生体データの表現を含み得る。
【０００７】
制御システムは、ワイヤレスインターフェースシステムを介して、第1の生体認証情報を第2のデバイスに提供することが可能であり得る。制御システムは、ワイヤレスインターフェースシステムを介して、第2のデバイスから制御信号を受信し、制御信号に従ってセンサシステムを制御することが可能であり得る。
【０００８】
いくつかの実装形態では、制御システムは、セキュアな処理および/またはメモリリソースを含み得る。たとえば、制御システムは、第1の生体認証情報を暗号化することが可能であり得る。制御システムは、第2のデバイスから受信された、限定はしないが、制御信号を含む情報を解読することが可能であり得る。
【０００９】
いくつかの実装形態によると、センサシステムは1つまたは複数の生理学的センサを含み得る。センサシステムは、ユーザの体から生理学的データを取得することが可能であり得る。生理学的データは、温度データ、呼吸数データ、酸素飽和度データ、血糖データ、血圧データ、心拍数データ、ユーザの心臓の電気活性を示すデータ、活動記録データおよび/または血中アルコールデータを含み得る。
【００１０】
いくつかの実装形態では、デバイスは物質送達システムを含み得る。制御システムは、制御信号に従って物質送達システムを制御することが可能であり得る。
【００１１】
いくつかの実装形態によると、制御システムは、ユーザの体から第2の生体データを取得するようにセンサシステムを制御すること、センサシステムから第2の生体データを受信すること、および第2の生体データに基づいて第2の生体認証情報を判断することが可能であり得る。制御システムは、ワイヤレスインターフェースシステムを介して、第2の生体認証情報を第2のデバイスに提供することが可能であり得る。
【００１２】
いくつかの例では、第2の生体データと第1の生体データは、異なるタイプの生体データを含み得る。制御システムは、第1の生体情報または第2の生体情報のうちの少なくとも1つを、記憶されている生体情報と比較することによって、現在のユーザが認可ユーザであるかどうか判断することが可能であり得る。制御システムは、現在のユーザが認可ユーザであると制御システムが判断した場合、記憶されている生体情報を、第1の生体情報または第2の生体情報のうちの少なくとも1つに関連付けることが可能であり得る。
【００１３】
ただし、いくつかの事例では、第2の生体データと第1の生体データは、異なるときに取得された1つのタイプの生体データを含み得る。制御システムは、たとえば、定期的に、および/またはイベントが発生すると、第2の生体データを取得するように、センサシステムを制御することが可能であり得る。制御システムは、ワイヤレスインターフェースシステムを介して、ユーザが認証されているかどうかを示す、第2のデバイスからの認証指示を受信することが可能であり得る。制御システムは、認証指示に従ってデバイスを制御することが可能であり得る。いくつかの実装形態では、制御システムは、ユーザが認証されていないことを認証指示が示す場合、デバイスの少なくとも1つの機能を防止または停止することが可能であり得る。
【００１４】
いくつかの実装形態では、デバイスは装着型デバイス(wearable device)であり得る。デバイスは、デバイスをユーザの体に固定するための装置を含み得る。たとえば、装着型デバイスをユーザの体に固定するための装置は、アームバンド、リストバンド、接着材料、および/または胸部ストラップを含み得る。いくつかの事例では、装着型デバイスは、ユーザの体に埋め込まれることが可能であり得る。
【００１５】
本開示に記載する主題の他の発明的態様は、装着型デバイスをユーザの体に固定するための装置を含む装着型デバイスにおいて実装することができる。装着型デバイスは、センサシステムを含み得る。センサシステムは、1つまたは複数の生体センサを含み得る。センサシステムは、ユーザの体から第1の生体データおよび第2の生体データを取得することが可能であり得る。第1の生体データは第1のタイプの生体データであってよく、第2の生体データは第2のタイプの生体データであってよい。
【００１６】
装着型デバイスは、センサシステムから第1の生体データおよび第2の生体データを受信することが可能な制御システムを含み得る。制御システムは、第1の生体データおよび第2の生体データに少なくとも部分的に基づいて、認証プロセスを実施することが可能であり得る。いくつかの実装形態では、認証プロセスは、外部デバイスからの認証情報を参照せずに実施することができる。
【００１７】
制御システムは、認証プロセスの結果に従って装着型デバイスを制御することが可能であり得る。いくつかの例では、認証プロセスの結果に従って装着型デバイスを制御することは、ユーザが認証されていないことを認証プロセスが示す場合、装着型デバイスの少なくとも1つの機能を防止または停止することを伴い得る。
【００１８】
いくつかの実装形態では、装着型デバイスはインターフェースシステムを含み得る。センサシステムは、1つまたは複数の生理学的センサを含んでよく、ユーザの体から生理学的データを取得することが可能であり得る。制御システムは、センサシステムから生理学的データを受信し、ワイヤレスインターフェースシステムを介して、生理学的データの少なくとも一部を第2のデバイスに提供することが可能であり得る。生理学的データは、たとえば、温度データ、呼吸数データ、酸素飽和度データ、血糖データ、血圧データ、心拍数データ、ユーザの心臓の電気活性を示すデータ、活動記録データおよび/または血中アルコールデータを含み得る。
【００１９】
いくつかの実装形態によると、装着型デバイスは物質送達システムを含み得る。制御システムは、認証プロセスに従って物質送達システムを制御することが可能であり得る。
【００２０】
本開示に記載する主題の他の発明的態様は、生体センサシステム、ワイヤレスインターフェースシステムおよび制御システムを含むモバイルデバイスにおいて実装することができる。制御システムは、ワイヤレスインターフェースシステムを介して第1の生体認証情報を受信することが可能であり得る。第1の生体認証情報は、装着型デバイスを現在使っているユーザから取得された第1の生体データに対応し得る。制御システムは、生体センサシステムを介して第2の生体データを取得すること、および第2の生体データから第2の生体情報を判断することが可能であり得る。
【００２１】
制御システムは、第2の生体情報を、記憶されている生体情報と比較することによって、現在のユーザが認可ユーザであるかどうか判断することが可能であり得る。いくつかの例では、制御システムは、現在のユーザが認可ユーザであると制御システムが判断した場合、記憶されている生体情報を第1の生体情報に関連付けることが可能であり得る。いくつかの例では、制御システムは、現在のユーザが認可ユーザでないと制御システムが判断した場合、装着型デバイスからの信号を無視することが可能であり得る。
【００２２】
いくつかの実装形態によると、制御システムは、ワイヤレスインターフェースシステムを介して、装着型デバイスに信号を送ることが可能であり得る。信号は、たとえば、現在のユーザが認可ユーザであることを示す信号、現在のユーザから生理学的データを取得するように、および生理学的データの少なくとも一部をモバイルデバイスに提供するように装着型デバイスに命令する制御信号、装着型デバイスに、現在のユーザに物質を投与するよう命令する制御信号、ならびに/または物質が投与されたという検証信号をモバイルデバイスに提供するよう、装着型デバイスに命令する制御信号を含み得る。
【００２３】
いくつかの実装形態では、制御システムは、ワイヤレスインターフェースシステムを介して、装着型デバイスから生理学的データを受信することが可能であり得る。制御システムは、ワイヤレスインターフェースシステムを介して、生理学的データの少なくとも一部をリモートサーバに提供することが可能であり得る。
【００２４】
いくつかの例では、第1の生体データは、指紋データ、声データ、網膜データ、ユーザの心臓の電気活性を示すデータ、毛包データ、毛穴データ、皮膚乳頭データおよび/または皮下血管データを含み得る。第2の生体データは、たとえば、指紋データ、声データ、網膜データ、毛包データ、毛穴データ、皮膚乳頭データまたは皮下血管データを含み得る。
【００２５】
本開示に記載する主題の他の発明的態様は、装着型デバイスを現在使っているユーザから、装着型デバイスのセンサシステムを介して、第1の生体データを取得するステップを伴う方法において実装することができる。方法は、第1の生体データに基づいて、第1の生体認証情報を判断するステップを伴い得る。方法は、インターフェースシステムを介して、第1の生体認証情報を第2のデバイスに提供するステップを伴い得る。方法は、インターフェースシステムを介して、第2のデバイスから信号を受信するステップを伴い得る。方法は、信号に従って、装着型デバイスを制御するステップを伴い得る。
【００２６】
いくつかの実装形態では、装着型デバイスを制御するステップは、ユーザの体から生理学的データを取得するステップ、および/またはユーザに物質を投与するステップを伴い得る。装着型デバイスを制御するステップは、ユーザが認証されていないことを信号が(直接または間接的に)示す場合、装着型デバイスの少なくとも1つの機能を防止または停止するステップを伴い得る。
【００２７】
本明細書に記載する方法の一部または全部は、非一時的媒体上に記憶された命令(たとえば、ソフトウェア)に従って、1つまたは複数のデバイスによって実施することができる。そのような非一時的媒体は、限定はしないが、ランダムアクセスメモリ(RAM)デバイス、読取り専用メモリ(ROM)デバイスなどを含む、本明細書に記載するようなメモリデバイスを含み得る。したがって、本開示で説明する主題の他の発明的態様は、ソフトウェアを記憶した非一時的媒体において実装され得る。
【００２８】
本明細書において説明される主題の1つまたは複数の実施態様の詳細は、添付の図面および以下の説明に記載される。他の特徴、態様および利点は、説明、図面および特許請求の範囲から明らかになるであろう。以下の図の相対寸法は、縮尺どおりに描かれていない場合があることに留意されたい。
【００２９】
本明細書において説明される主題の1つまたは複数の実施態様の詳細は、添付の図面および以下の説明に記載される。他の特徴、態様および利点は、説明、図面および特許請求の範囲から明らかになるであろう。以下の図の相対寸法は、縮尺どおりに描かれていない場合があることに留意されたい。種々の図面における同様の参照番号および名称は、同様の要素を示す。
【図面の簡単な説明】
【００３０】
【図１Ａ】装着型デバイスを制御するための方法の一例を概説する流れ図である。
【図１Ｂ】本開示のいくつかの態様が実装され得るデバイスの構成要素の例を示すブロック図である。
【図２】ユーザの体の上にある装着型デバイスの例を示す図である。
【図３】指紋センサを含む装着型デバイスの例を示す図である。
【図４】装着型デバイスを制御するための方法の例を概説する流れ図である。
【図５】本開示のいくつかの態様が実装され得るシステムの構成要素の例を示すブロック図である。
【図６】本開示のいくつかの態様が実装され得るモバイルデバイスの構成要素の例を示すブロック図である。
【図７】図6に示すようなモバイルデバイスを制御するための方法の例を概説する流れ図である。
【発明を実施するための形態】
【００３１】
以下の説明は、本開示の発明的態様について説明する目的で、いくつかの実装形態を対象とする。しかしながら本明細書における教示は、多くの異なる方法で適用できることは当業者には容易に認識されよう。記載する実装形態は、限定はしないが、たとえば、形態電話、マルチメディアインターネット対応セルラー電話、モバイルテレビ受信機、ワイヤレスデバイス、スマートフォン、Bluetooth(登録商標)デバイス、個人情報端末(PDA)、ワイヤレス電子メール受信機、ハンドヘルドまたは可搬型コンピュータ、ネットブック、ノートブック、スマートブック、タブレット、全地球測位システム(GPS)受信機/ナビゲータ、カメラ、カムコーダ、腕時計、電子読書デバイス(たとえば、電子リーダー)、モバイルヘルスデバイスなど、様々な電子デバイスに含まれるか、または関連付けられ得ることが企図される。本明細書の教示はまた、電子スイッチングデバイス、無線周波数フィルタ、限定はしないが生体センサを含むセンサ、加速度計、ジャイロスコープ、動き検知デバイス、磁気計、家庭用電子機器用の慣性構成要素、家庭用電化製品の部品、バラクタ、液晶デバイス、電気泳動デバイスなどであるがそれらに限らない用途に使用されてもよい。したがって、それらの教示には、単に図に示されている実装形態に限定されることを意図するものではなく、代わりに、当業者には容易に明らかになるように、広範囲にわたる適用例を有している。
【００３２】
本開示のいくつかの態様は、装着型デバイスにおいて実装することができる。本明細書において使用する限り、「装着型デバイス」という用語の意味は、ユーザによって(たとえば、アームバンド、リストバンド、胸部ストラップなどにより)装着することができるデバイス、ユーザの皮膚に(たとえば、接着材料により)付着させることができるデバイス、およびユーザの体に少なくとも一時的に埋め込むことができるデバイスを包含する。いくつかの実装形態では、装着型デバイスは、たとえば温度データ、呼吸数データ、酸素飽和度データ、血糖データ、血圧データ、心拍数データ、血中アルコールデータなどの生理学的データをユーザの体から取得することが可能なセンサシステムを含み得る。いくつかの装着型デバイスは、薬物および/またはホルモン送達システムなどの物質送達システムを含み得る。
【００３３】
本明細書で開示するいくつかの実装形態では、センサシステムは、ユーザを識別または認証するのに使うことができる生体データを取得することが可能な少なくとも1つの「生体保証(bio-assurance)センサ」を含み得る。たとえば、生体保証センサは、装着型デバイスが、認可ユーザの体から取り外されることがなく、および/または認可された公正なユーザではない別のユーザの体の上もしくは中に置かれることがないようにするのに使うことができる。
【００３４】
図1Aは、装着型デバイスを制御するための方法の一例を概説する流れ図である。方法100のブロックは、本明細書に記載する他の方法のように、図示される順序で必ずしも実施されるわけではない。さらに、そのような方法は、図示および/または記載されるよりも多いかまたは少ないブロックを含む場合がある。この例では、ブロック105は、装着型デバイスを現在使っているユーザから、装着型デバイスのセンサシステムを介して、第1の生体データを取得することを伴う。第1の生体データは、「生体保証センサ」によって取得することができる。本実装形態において、ブロック110は、第1の生体データに基づいて、第1の生体認証情報を判断することを伴う。いくつかの例では、ブロック105は、画像データを取得することを伴ってよく、ブロック110は、画像データから特徴を抽出することを伴ってよい。
【００３５】
この例では、ブロック115は、インターフェースシステムを介して、第1の生体認証情報を第2のデバイスに提供することを伴う。いくつかの実装形態では、インターフェースシステムはワイヤレスインターフェースシステムを含んでよい。いくつかの例では、第2のデバイスは、たとえばスマートフォン、スマートウォッチ、タブレットデバイスなどのモバイルデバイスであってよい。ただし、代替実装形態では、第2のデバイスはラップトップコンピュータまたは別のタイプのデバイスであってよい。いくつかの例では、第2のデバイスは、第1の生体認証情報に少なくとも部分的に基づいて、認証プロセスを実施することが可能であり得る。いくつかの実装形態では、第2のデバイスは、指紋センサまたは他の生体センサなど、少なくとも1つの「認証センサ」を含み得る。第2のデバイスは、認証センサを介して取得された第2の生体データに基づいて、第2の生体情報を判断することが可能であり得る。いくつかの例では、第2のデバイスは、第1の生体認証情報および/または第2の生体情報に基づいて、認証プロセスを実施することが可能であり得る。代替的に、または追加として、いくつかの実装形態では、装着型デバイスは、少なくとも1つの認証センサを含み得る。いくつかのそのような実装形態において、装着型デバイスは、認証機能性が可能であり得る。上記実装形態の様々な例について、以下で説明する。
【００３６】
ここで、ブロック120は、インターフェースシステムを介して、第2のデバイスから信号を受信することを伴う。本実装形態において、ブロック125は、信号に従って、装着型デバイスを制御することを伴う。たとえば、装着型デバイスを制御することは、ユーザが認証されていないことを信号が(直接または間接的に)示す場合、装着型デバイスの少なくとも1つの機能を防止または停止することを伴い得る。信号は、たとえば、ユーザが認証されていないことを明確に示さずに、装着型デバイスが少なくとも1つの機能を防止または停止するべきであると示す場合がある。第2のデバイスがユーザを認証している場合、信号は、装着型デバイスが少なくとも1つの機能を実施するべきであると示し得る。たとえば、ブロック125は、ユーザの体から生理学的データを取得すること、および/または薬物もしくはホルモンなどの物質をユーザに投与することを伴い得る。
【００３７】
図1Bは、本開示のいくつかの態様が実装され得るデバイスの構成要素の例を示すブロック図である。この例では、デバイスは装着型デバイスである。図1Bに示す実装形態において、装着型デバイス150は、センサシステム155、インターフェースシステム160および制御システム165を含む。インターフェースシステム160は、この例ではワイヤレスインターフェースシステムを含む。いくつかの実装形態では、インターフェースシステム160は、ネットワークインターフェース、制御システム165とメモリシステムとの間のインターフェースおよび/または外部デバイスインターフェース(たとえば、ポート)を含み得る。
【００３８】
上述のように、「装着型デバイス」という用語は、ユーザによって(たとえば、アームバンド、リストバンド、胸部ストラップなどにより)装着することができるデバイス、ユーザの皮膚に(たとえば、接着材料により)付着させることができるデバイス、およびユーザの体に少なくとも一時的に埋め込むことができるデバイスを包含する。したがって、装着型デバイス150は、デバイスをユーザの体に固定するため、および/またはデバイスをユーザの体に埋め込むための装置を含み得る。
【００３９】
図2は、ユーザの体の上にある装着型デバイスの例を示す。この例では、装着型デバイス150aは、ユーザの体205の第1のエリアに付着され、装着型デバイス150bは、ユーザの体205の第2のエリアに付着される。ここで、装着型デバイス150aは、ユーザの心臓の近くに位置付けられる。装着型デバイス150aは、心拍数データ、ユーザの心臓の電気活性を示すデータ、ユーザの体温などを監視することが可能なセンサシステム155を含み得る。図2に示す例において、装着型デバイス150bは、ユーザの腕のうちの片方に付着される。いくつかの実装形態では、装着型デバイス150bは、ユーザの体温、活動記録データ、ユーザの血糖データ、血中アルコールデータなどを監視することが可能なセンサシステム155を含み得る。いくつかの実装形態では、装着型デバイス150bは、薬物および/またはホルモン送達システムなどの物質送達システムを含み得る。
【００４０】
図2は、装着型デバイス150aの拡大図を示す。この例では、装着型デバイス150aおよび150bは、接着剤によりユーザの体205に付着されることが可能な薄い層を含む。ただし、代替実装形態では、装着型デバイス150aおよび150bは、たとえばアームバンド、リストバンド、胸部ストラップなど、他の装置により、ユーザの体によって装着され、体に付着され、または体に埋め込まれるために構成されてよい。この例では、中央のチェックマークの下のダッシュは、バッテリの残量を示す。図2の両方向矢印によって示されるように、装着型デバイス150aおよび150bは、ワイヤレスネットワーク上で、ワイヤレスインターフェースを介して1つまたは複数の他のデバイスと通信することが可能である。
【００４１】
図1Bに戻ると、この例では、センサシステム155は、本明細書の他の箇所で参照される「生体保証センサ」の1つまたは複数の例と見なすことができる、1つまたは複数の生体センサを含む。この例では、センサシステム155は、ユーザの体から第1の生体データを取得することが可能である。
【００４２】
いくつかの実装形態では、たとえば、第1の生体データは、指紋データ、声データ、網膜データ、ユーザの心臓の電気活性を示すデータ、毛包データ、毛穴データ、皮膚乳頭データおよび/または皮下血管データを含み得る。たとえば、センサシステム155は、装着型デバイスが装着されているユーザの体の部分に対応する、超音波毛包画像データ、毛穴画像データ、皮膚乳頭画像データおよび/または皮下血管画像データを取得することが可能な超音波センサを含み得る。
【００４３】
制御システム165は、汎用シングルもしくはマルチチッププロセッサ、デジタル信号プロセッサ(DSP)、特定用途向け集積回路(ASIC)、フィールドプログラム可能ゲートアレイ(FPGA)もしくは他のプログラム可能論理デバイス、個別ゲートもしくはトランジスタ論理、または個別ハードウェア構成要素のうちの少なくとも1つを含み得る。この例では、制御システム165は、センサシステム155から第1の生体データを受信すること、および第1の生体データに基づいて、第1の生体認証情報を判断することが可能である。第1の生体認証情報は、第1の生体データの表現を含み得る。第1の生体認証情報は、たとえば、第1の生体データから抽出された特徴に関する情報を含み得る。
【００４４】
たとえば、センサシステム155が、装着型デバイス150が装着されているユーザの体の部分に対応する超音波画像データを取得することが可能な超音波センサを含む場合、第1の生体認証情報を判断するプロセスは、ユーザの体のその部分における、毛包、表皮または皮下パターン、血管パターンなどの配置に対応する超音波画像データから特徴を抽出することを伴い得る。第1の生体認証情報を判断するプロセスは、抽出された特徴のテンプレートを作成することを伴い得る。テンプレートは、抽出された特徴のタイプ、抽出された特徴の形状、抽出された特徴のサイズ、抽出された特徴のロケーション、抽出された特徴の配向などに関する情報を含み得る。したがって、第1の生体認証情報を判断することは、指紋特徴抽出およびテンプレート作成プロセスと同様のプロセスを伴い得る。
【００４５】
制御システム165は、インターフェースシステムを介して、第1の生体認証情報を第2のデバイスに提供することが可能であり得る。いくつかの実装形態によると、制御システム165は、セキュアな処理および/またはメモリリソースを含み得る。たとえば、いくつかの実装形態では、制御システム165は、第1の生体認証情報を暗号化することが可能であり得る。いくつかの例では、第2のデバイスは、第1の生体認証情報に少なくとも部分的に基づいて、認証プロセスを実施することが可能であり得る。制御システム165は、ワイヤレスインターフェースシステムを介して、第2のデバイスから制御信号を受信することが可能であり、制御信号に従ってセンサシステム155(および/または装着型デバイス150の別の構成要素)を制御することが可能であり得る。いくつかの実装形態では、制御システム165は、第2のデバイスから受信された、限定はしないが、制御信号を含む情報を解読することが可能であり得る。
【００４６】
たとえば、第2のデバイスが、ユーザが認証されていないと判断した場合、制御信号は、装着型デバイス150が少なくとも1つの機能を防止または停止するべきであると示し得る。制御信号は、たとえば、ユーザが認証されていないことを明確に示さずに、装着型デバイス150が少なくとも1つの機能を防止または停止するべきであると示す場合がある。ただし、いくつかの実装形態では、制御信号は、ユーザが認証されているかどうかを示す、第2のデバイスからの認証情報を含み得る。制御システム165は、認証情報に従って装着型デバイス150を制御することが可能であり得る。
【００４７】
第2のデバイスがユーザを認証している場合、制御信号は、装着型デバイス150が少なくとも1つの機能を実施するべきであると示し得る。機能は、装着型デバイス150の能力によって変わり得る。
【００４８】
いくつかの例では、装着型デバイス150は、物質送達システムを含み得る。第2のデバイスから制御信号を受信したことに応答して、制御システム165は、薬物、ホルモン(たとえば、インシュリンなどのペプチドホルモン)、または別の物質をユーザに提供するように、物質送達システムを制御する。
【００４９】
いくつかの実装形態では、センサシステム155は1つまたは複数の生理学的センサを含み得る。いくつかの実装形態では、第2のデバイスから制御信号を受信したことに応答して、制御システム165は、1つまたは複数のタイプの生理学的データを取得するように、センサシステム155を制御し得る。本明細書において使用する限り、「生理学的センサ」という用語の意味は、当業者(POSITA)によって生理学的センサまたは生物学的センサと呼ばれ得るセンサを包含する。したがって、生理学的センサによって取得される「生理学的データ」は、POSITAが生理学的データまたは生物学的データであると見なす場合があるものを含み得る。したがって、センサシステム155は、温度データ、呼吸数データ、酸素飽和度データ、血糖データ、血圧データ、心拍数データ、ユーザの心臓の電気活性を示すデータ、活動記録データ、血中アルコールデータおよび/または他のタイプの生理学的データを取得することが可能であり得る。
【００５０】
いくつかの例では、制御システム165は、ユーザの体から第2の生体データを取得するように、センサシステム155を制御することが可能であり得る。制御システム165は、センサシステム155から第2の生体データを受信すること、第2の生体データに基づいて第2の生体認証情報を判断すること、およびワイヤレスインターフェースシステムを介して、第2の生体認証情報を第2のデバイスに提供することが可能であり得る。
【００５１】
いくつかの実装形態では、第1の生体データおよび第2の生体データは、異なるタイプの生体データであり得る。いくつかのそのような実装形態によると、制御システム165は、第1および/または第2の生体認証情報に少なくとも部分的に基づいて、ユーザを認証することが可能であり得る。たとえば、制御システム165は、第1の生体情報および/または第2の生体情報を、記憶されている生体情報と比較することによって、現在のユーザが認可ユーザであるかどうか判断することが可能であり得る。制御システム165は、現在のユーザが認可ユーザであると制御システムが判断した場合、記憶されている生体情報を、第1の生体情報および/または第2の生体情報に関連付けることが可能であり得る。
【００５２】
たとえば、いくつかの実装形態では、装着型デバイス150は指紋センサを含み得る。図3は、指紋センサを含む装着型デバイスの例を示す。ここで、装着型デバイス150cは指紋センサ305を含む。指紋センサ305は、たとえば光学センサ、超音波センサ、容量センサなど、どの便宜的なタイプの指紋センサであってもよい。したがって、指紋センサ305のサイズ、タイプおよび位置は、実装形態によって変わり得る。図2に示す装着型デバイス150aおよび150bのように、装着型デバイス150cは、装着型デバイス150cをユーザの体に付着させるための接着材料を含む。ただし、代替実装形態では、装着型デバイス150cは、他の適切な装置によりユーザの体によって装着され、体に付着され、または体に埋め込まれるために構成されてよい。装着型デバイス150のいくつかの実装形態は、指紋データなどの生体データを提供するようユーザを促すように、制御システムが制御することが可能であり得る、スピーカー、アクチュエータ、ディスプレイまたは別のデバイスを含み得る。
【００５３】
したがって、いくつかの実装形態では、第2の生体データは、装着型デバイス150のセンサによって取得された指紋データなど、第2のタイプの生体データを含み得る。制御システム(図1Bに示す制御システム165など)は、第2の生体情報(この例では、最近取得された指紋情報)を、記憶されている生体情報(この例では、以前取得された指紋情報)と比較することによって、現在のユーザが認可ユーザであるかどうか判断することが可能であり得る。
【００５４】
いくつかの実装形態では、制御システムは、定期的に、またはイベントが発生すると、第2の生体データを取得するように、センサシステム155を制御することが可能であり得る。たとえば、制御システム165は、装着型デバイス150を介する、ユーザへの物質の送達に先立って実施されるべき認証プロセス用の入力として、第2の生体データを取得するように、センサシステム155を制御することが可能であり得る。
【００５５】
代替例において、第1の生体データおよび第2の生体データは、異なるときに取得された同じタイプの生体データであり得る。たとえば、生体データは、装着型デバイスが装着されているユーザの体の部分に対応する超音波画像データを含み得る。制御システム165は、ユーザの体部に対するいかなるアクションも要求せずに、定期的に、またはイベントが発生すると超音波画像データを取得するように、センサシステム155を制御することが可能であり得る。したがって、異なるときに同じタイプの生体データの追加インスタンスを取得するプロセスは、ユーザが知ることなく実施され得る。制御システム165(または別のデバイスの制御システム)は、第2の生体情報(この例では、最近取得された超音波画像データに基づく情報)を、記憶されている生体情報(この例では、以前取得された超音波画像データに基づく情報)と比較することによって、現在のユーザが認可ユーザであるかどうか判断することが可能であり得る。たとえば、装着型デバイス150が、認可ユーザの体の異なる部分に移動され、または認可ユーザの体から取り外され、別のユーザの体に置かれた場合、第2の生体情報は、記憶されている生体情報と一致するべきでなく、認証プロセスは正常に終了するべきでない。制御システム165(または別のデバイスの制御システム)が、現在のユーザが認証されていないと判断した場合、制御システムは、装着型デバイス150が少なくとも1つの機能を防止または停止するべきであると示し得る。
【００５６】
本明細書で開示する方法のうちの少なくともいくつかは、非一時的媒体上に記憶された命令(たとえば、ソフトウェア)に従って、1つまたは複数のデバイスによって実施することができる。そのような非一時的媒体は、限定はしないが、ランダムアクセスメモリ(RAM)デバイス、読取り専用メモリ(ROM)デバイスなどを含むメモリデバイスを含み得る。いくつかの実装形態では、非一時的媒体は、装着型デバイス150の一部であり、および/またはデバイス150によってアクセス可能であり得る。
【００５７】
図4は、装着型デバイスを制御するための方法の例を概説する流れ図である。いくつかの実装形態によると、方法400は、ソフトウェアを記憶した非一時的媒体において実装することができる。この例では、ブロック405は、センサシステムから第1の生体データおよび第2の生体データを受信するように装着型デバイスを制御することを伴う。センサシステムは、装着型デバイスのセンサシステムであってよい。第1の生体データおよび第2の生体データは、装着型デバイスを現在使っているユーザの体から、センサシステムによって取得されていてよい。
【００５８】
この例では、第1の生体データは第1のタイプの生体データであり、第2の生体データは第2のタイプの生体データである。ただし、代替実装形態では、第1の生体データおよび第2の生体データは同じタイプの生体データであってよい。
【００５９】
この例では、ブロック410は、第1の生体データおよび第2の生体データに少なくとも部分的に基づいて、認証プロセスを実施するように装着型デバイスを制御することを伴う。たとえば、認証プロセスは、第1および第2の生体データに基づいて、第1の生体情報および第2の生体情報を判断することを伴い得る。認証プロセスは、第1の生体情報および第2の生体情報を、認可ユーザから以前取得された記憶されている生体情報と比較することを伴い得る。図4に示す例において、認証プロセスは、装着型デバイスの制御システムによって実施され、装着型デバイスによって取得された生体データに基づく。したがって、認証プロセスは、外部デバイスからの認証情報を参照せずに実施される。この例では、ブロック415は、認証プロセスの結果に従って装着型デバイスを制御することを伴う。
【００６０】
図5は、本開示のいくつかの態様が実装され得るシステムの構成要素の例を示すブロック図である。図5に示すデバイスの数、タイプおよび配置は、単に例として示されている。この例では、様々なデバイスが、1つまたは複数のネットワーク517を介して通信可能である。ネットワーク517は、たとえば、公衆交換電話網(PSTN)およびインターネットを含み得る。図5に示すモバイルデバイス500aおよび500bは、たとえば、スマートフォン、セルラー電話、タブレットデバイスなどであってよい。
【００６１】
ロケーション520において、モバイルデバイス500aは、装着型デバイス150aおよび150bとのワイヤレス通信が可能である。モバイルデバイス500aは、上述の説明において参照された「第2のデバイス」の一例である。モバイルデバイス500aは、たとえば、認証機能性など、本明細書に記載する方法のうちのいくつかを実施するためのソフトウェアを実行すること、制御信号を判断し、装着型デバイス150aおよび150bに送ること、装着型デバイス150aおよび150bから情報を受信することなどが可能であり得る。
【００６２】
この例では、データセンタ545は、ネットワーク517を介して健康情報サービスを提供するように構成され得る様々なデバイスを含む。したがって、データセンタ545は、ゲートウェイ525を介してネットワーク517との通信が可能である。スイッチ550およびルータ555は、記憶デバイス560、サーバ565およびワークステーション570を含む、データセンタ545のデバイスに、ネットワーク接続性を提供するように構成され得る。ただ1つのデータセンタ545が図5に示されているが、いくつかの実装形態は複数のデータセンタ545を含み得る。
【００６３】
データセンタ545中(または他の所)の1つまたは複数のタイプのデバイスは、たとえば、データ管理および/またはデバイス通信のためのミドルウェアを実行することが可能であり得る。限定はしないが、ネットワーク化装着型デバイス150によって取得された情報および/または装着型デバイス150の認可ユーザに関する他の情報を含む健康関連情報は、記憶デバイス560および/またはサーバ565上に記憶することができる。健康関連ソフトウェアも、記憶デバイス560および/またはサーバ565上に記憶することができる。いくつかの実装形態では、一部のそのような健康関連ソフトウェアは、「アプリ」として利用可能であり、認可ユーザによってダウンロード可能であり得る。
【００６４】
この例では、限定はしないが、ヘルスケア専門家、患者、患者の家族、保険会社代理人などを含む様々な人々および/またはエンティティが、ネットワーク化装着型デバイス150に関するか、またはデバイス150によって取得された情報を取得することができる。情報は、1つまたは複数の装着型デバイス150によって取得された生理学的データ、ネットワーク化装着型デバイス150による物質送達に関する情報などを含み得るが、それらに限定されない。
【００６５】
いくつかの実装形態では、送達される物質のタイプ、物質送達の時間、供与量および/または他のデータに関する情報は、ネットワーク化装着型デバイス150によって送信され、データセンタ545の1つまたは複数のデバイスに記憶され得る。タイムスタンプ情報、認証情報および/またはロケーション情報などの付加情報は、1つまたは複数の装着型デバイス150によって取得された物質送達情報および/または生理学的データに関連付けられ得る。そのような情報は、たとえば、指定された時間に認可ユーザ/患者に物質が投与されていた、および/または認可ユーザ/患者からデータが取得されていたという記録を作成するのに使うことができる。そのような情報は、監査証跡を作成するのに使うことができる。いくつかの実装形態では、そのような情報は、医療研究センタなど、特定のロケーションにおいて、薬物試験の参加者に、薬物を投与させるよう要求するのではなく、薬物についてのモバイルおよび/または遠隔臨床試験を可能にするのに使うことができる。
【００６６】
いくつかの例では、認可された人々および/またはエンティティが、そのような情報を、データセンタ545を介して取得し得る。代替として、少なくとも一部の人々および/またはエンティティが、そのような情報を、ネットワーク化装着型デバイス150からのデータ供給を介して取得することを認可され得る。1つまたは複数の他のデバイス(モバイルデバイス500、またはデータセンタ545のデバイスなど)が、そのようなデータ供給のための媒介として作用し得る。そのようなデバイスは、たとえば、データフィルタリングアルゴリズムを適用すること、データ要約および/または分析ソフトウェアを実行することなどが可能であり得る。いくつかの実装形態では、データフィルタリング、要約および/または分析ソフトウェアは、「アプリ」として利用可能であり、認可ユーザによって(たとえば、データセンタ545から)ダウンロード可能であり得る。
【００６７】
この例では、認可ユーザの家族が、ユーザの体205から装着型デバイス150aおよび150bによって取得された生理学的データにアクセスするために、モバイルデバイス500bを介してシステムにログインしている。図5は、ヘルスケア専門家510が、データセンタ545からの情報にアクセスするためにラップトップ515を使っている診療所505も示す。情報は、装着型デバイス150aおよび150bによって、もしくは他のネットワーク化装着型デバイス150によって取得された情報(ならびに/またはそれらのデバイスによって送達された物質)を含み得る。
【００６８】
図6は、本開示のいくつかの態様が実装され得るモバイルデバイスの構成要素の例を示すブロック図である。この例では、モバイルデバイス500は、生体センサシステム605、インターフェースシステム610および制御システム615を含む。生体センサシステム605は、たとえば網膜スキャナ、指紋センサなど、1つまたは複数のタイプの生体センサを含み得る。インターフェースシステム610は、この例ではワイヤレスインターフェースシステムを含む。いくつかの実装形態では、インターフェースシステム610は、ネットワークインターフェース、制御システム615とメモリシステムとの間のインターフェースおよび/または外部デバイスインターフェース(たとえば、ポート)を含み得る。
【００６９】
制御システム615は、汎用シングルもしくはマルチチッププロセッサ、デジタル信号プロセッサ(DSP)、特定用途向け集積回路(ASIC)、フィールドプログラム可能ゲートアレイ(FPGA)もしくは他のプログラム可能論理デバイス、個別ゲートもしくはトランジスタ論理、または個別ハードウェア構成要素のうちの少なくとも1つを含み得る。
【００７０】
図7は、図6に示すようなモバイルデバイスを制御するための方法の例を概説する流れ図である。いくつかの実装形態によると、方法700は、ソフトウェアを記憶した非一時的媒体において実装することができる。いくつかの実装形態では、方法700は、少なくとも部分的には、モバイルデバイスの制御システムによって(たとえば、制御システム615によって)実施することができる。方法700は、たとえば、ユーザがユーザの体に装着型デバイス150を最初に付着させたときに実施され得る。
【００７１】
この例では、ブロック705は、ワイヤレスインターフェースシステムを介して、第1の生体認証情報を受信することを伴う。この例では、第1の生体認証情報は、装着型デバイスを現在使っているユーザから取得された第1の生体データに対応する。
【００７２】
本実装形態において、ブロック710は、生体センサシステムを介して第2の生体データを取得することを伴う。たとえば、第2の生体データは、図6の生体センサシステム605から取得され得る。いくつかの実装形態では、第2の生体データは、指紋データ、たとえば、指紋画像データを含み得る。第2の生体データは、たとえば、ユーザの体に現在付着されている1つまたは複数の装着型デバイスへのアクセスを取得し、かつ/またはデバイスを制御することを求めるユーザから取得され得る。
【００７３】
この例では、ブロック715は、第2の生体データに基づいて第2の生体情報を判断することを伴う。第2の生体情報は、たとえば、第2の生体データの表現を含み得る。第2の生体情報は、たとえば、第2の生体データから抽出された特徴に関する情報を含み得る。
【００７４】
ここで、ブロック720は、第2の生体情報を、記憶されている生体情報と比較することによって、装着型デバイスの現在のユーザが認可ユーザであるかどうか判断することを伴う。たとえば、ブロック720は、最近取得された指紋テンプレート情報を、認可ユーザの以前取得された指紋テンプレート情報と比較することを伴い得る。記憶されている生体情報は、たとえば、認可ユーザが確実に識別された登録手順中に、認可ユーザから取得されている場合がある。
【００７５】
本実装形態において、ブロック725は、現在のユーザが認可ユーザであると判断された場合、記憶されている生体情報を第1の生体情報に関連付けることを伴う。たとえば、モバイルデバイスは、記憶されている生体情報および第1の生体情報を含む、暗号化データ構造などのデータ構造を作成することができる。代替または追加として、モバイルデバイスは、ユーザを認証するとともに、装着型デバイスによって獲得された生体情報が、認可ユーザの生体情報に正常に関連付けられたことを示すコード(暗号化および/または一意のコードなど)を、データセンタ、認可エンティティなどに送ることができる。
【００７６】
ブロック720において、現在のユーザが認可ユーザでないと判断された場合、モバイルデバイスの制御システム(たとえば、制御システム615)は、様々なアクションのうちの1つまたは複数をとり得る。たとえば、制御システムは、ユーザに、第2の生体データを再度提供するよう促し得る。たとえば、ユーザはときには、使用可能指紋データが獲得されることを可能にするような指を提示するのに失敗する場合がある。ユーザには、第2の生体データを提供するための所定の数の機会が与えられ得る。代替的に、または追加として、ユーザには、別のタイプの生体データを提供するための少なくとも1つの機会が与えられ得る。
【００７７】
別の例として、制御システムは、別のデバイスに、たとえば、データセンタのデバイスに、対応するメッセージを送ることができる。いくつかの実装形態では、制御システムが、現在のユーザが認可ユーザでないと判断した場合、制御システムは、装着型デバイスからのさらなる信号を無視してよい。この能力は、たとえば、送信能力を有するだけであり、モバイルデバイスから制御信号を受信するための「受信能力」をもたない装着型デバイスを伴う実装形態にとって有利であり得る。いくつかのそのような装着型デバイスは、たとえば、1つまたは複数の生理学的センサを有するセンサシステムを含み得るが、物質送達システムは含まない。代替として、そのような装着型デバイスは、物質送達が、浸透により起こり、装着型デバイスを取り外すことによって以外は制御可能でない受動経皮物質送達システムを含み得る。
【００７８】
本明細書で使用されるとき、項目のリストのうちの「少なくとも1つ」を指す語句は、単一の部材を含む、それらの項目の任意の組合せを指す。一例として、「a、b、またはcのうちの少なくとも1つ」は、a、b、c、a-b、a-c、b-c、およびa-b-cを包含することを意図している。
【００７９】
本明細書において開示されている実装形態に関連して説明した様々な実例論理、論理ブロック、モジュール、回路およびアルゴリズムプロセスは、電子ハードウェア、コンピュータソフトウェアまたは両方の組合せとして実装されてもよい。ハードウェアおよびソフトウェアの互換性については、概ね機能に関して説明し、上で説明した様々な実例構成要素、ブロック、モジュール、回路およびプロセスにおいて例示した。そのような機能がハードウェアにおいて実現されるか、ソフトウェアにおいて実現されるかは、システム全体に課される特定の適用例および設計制約によって決まる。
【００８０】
本明細書において開示された態様に関連して説明した様々な実例論理、論理ブロック、モジュールおよび回路を実装するために使用されるハードウェアおよびデータ処理装置は、本明細書において説明した機能を実施するために設計された、汎用シングルチップまたはマルチチッププロセッサ、デジタル信号プロセッサ(DSP)、特定用途向け集積回路(ASIC)、フィールドプログラム可能ゲートアレイ(FPGA)、または他のプログラム可能論理デバイス、個別ゲートまたはトランジスタ論理、個別ハードウェア構成要素、またはそれらの任意の組合せを使用して実装または実施されてもよい。汎用プロセッサはマイクロプロセッサであっても、または任意の従来のプロセッサ、コントローラ、マイクロコントローラもしくは状態機械であってもよい。また、プロセッサは、コンピューティングデバイスの組合せ、たとえば、DSPおよびマイクロプロセッサの組合せ、複数のマイクロプロセッサ、DSPコアと一体化した1つもしくは複数のマイクロプロセッサ、または任意の他のそのような構成として実現することもできる。いくつかの実装形態では、特定のプロセスおよび方法は、所定の機能に特有の回路構成で実施することができる。
【００８１】
1つまたは複数の態様では、説明された機能は、本明細書において開示された構造およびそれらの構造的等価物を含む、ハードウェア、デジタル電子回路構成、コンピュータソフトウェア、ファームウェア、またはそれらの任意の組合せにおいて実現することができる。また、本明細書において説明される主題の実装形態は、1つまたは複数のコンピュータプログラムとして、すなわち、データ処理装置によって実行するか、またはデータ処理装置の動作を制御するための、コンピュータ記憶媒体上に符号化されたコンピュータプログラム命令の1つまたは複数のモジュールとして、実装することができる。
【００８２】
それらの機能は、ソフトウェアにおいて実現される場合、1つまたは複数の命令またはコードとして、非一時的媒体などのコンピュータ可読媒体上に記憶することができるか、コンピュータ可読媒体を介して送信することができる。本明細書において開示された方法またはアルゴリズムのプロセスは、コンピュータ可読媒体上に存在する場合があるプロセッサ実行可能ソフトウェアモジュールにおいて実施することができる。コンピュータ可読媒体は、ある場所から別の場所にコンピュータプログラムを転送することが可能になる場合がある任意の媒体を含む、コンピュータ記憶媒体と通信媒体の両方を含む。記憶媒体は、コンピュータによってアクセスされる場合がある任意の利用可能な媒体であってもよい。限定ではなく例として、そのような非一時的媒体は、RAM、ROM、EEPROM、CD-ROMもしくは他の光ディスク記憶装置、磁気ディスク記憶装置もしくは他の磁気記憶デバイス、または、命令もしくはデータ構造の形式で所望のプログラムコードを記憶するために使用される場合があるとともに、コンピュータによってアクセスされる場合がある任意の他の媒体を含んでもよい。また、任意の接続がコンピュータ可読媒体と呼ばれてもよい。本明細書において使用されるディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびブルーレイディスク(disc)を含み、ディスク(disk)は通常、データを磁気的に再生し、ディスク(disc)は、レーザを用いてデータを光学的に再生する。上述したものの組合せも、コンピュータ可読媒体の範囲内に含められるべきである。加えて、方法またはアルゴリズムの動作は、コンピュータプログラム製品に組み込まれてもよい、機械可読媒体およびコンピュータ可読媒体上のコードおよび命令の1つまたは任意の組合せまたはセットとして存在してもよい。
【００８３】
当業者には、本開示において説明した実装形態の様々な修正形態が容易に明らかになろう。本明細書において定められた一般原則は、本開示の趣旨または範囲から逸脱せずに他の実装形態に適用されてもよい。したがって、本開示は、本明細書において示されている実装形態に限定されるものではなく、特許請求の範囲、本明細書において開示された原則および新規の特徴に整合した最も広い範囲が与えられるべきである。「例示的な」という単語は、本明細書では、「例、事例、または例示の働きをすること」を意味するためにのみ使用される。本明細書で「例示的な」と記載されるいかなる実装形態も、必ずしも他の実装形態よりも好ましいか、または有利であると解釈されるべきではない。
【００８４】
また、本明細書において個別の実装形態の文脈で説明した特定の特徴は、単一の実装形態において組み合わせて実現されてもよい。それとは逆に、単一の実装形態の文脈で説明する様々な特徴はまた、複数の実装形態において個別に実現されても、あるいは任意の適切な副組合せで実現されてもよい。さらに、各特徴は、上記では、特定の組合せで作用するものとして説明することがあり、場合によっては最初にそのようなものとして請求されることもあるが、請求される組合せによる1つまたは複数の特徴は、場合によっては、組合せから削除されてもよく、請求される組合せが、副組合せまたは副組合せの変形形態を対象としてもよい。
【００８５】
同様に、動作は、特定の順序において図面に示されているが、これは、そのような動作が図示された特定の順序において、または順次に実施されることを必要とするか、または、所望の結果を達成するためにすべての示された動作が実施されることを必要とするものと理解されるべきではない。いくつかの状況では、マルチタスキングおよび並列処理が有利であり得る。さらに、上で説明した実装形態における様々なシステム構成要素の分類は、そのような分類がすべての実装形態に必要であるものとして理解してはならず、前述のプログラムコンポーネントおよびシステムは、通常、単一のソフトウェア製品として統合されてもあるいは複数のソフトウェア製品としてパッケージ化されてもよいことを理解すべきである。さらに、他の実装形態も以下の特許請求の範囲内である。いくつかのケースでは、特許請求に記載されているアクションは、異なる順序で実施されてもよく、依然として望ましい結果を達成する場合がある。
【００８６】
説明した特定の実装形態のうちのいずれかにおける複数の特徴が互いに不適合であると明確に確認されること、またはそれらの特徴が、相互排他的であり、補完および/または支援の意味で容易に組み合わせることができないことを周囲の文脈が示唆することがない限り、本開示の全体は、それらの補完的実装形態の特定の特徴が、1つまたは複数の包括的であるがわずかに異なる技術的解法を提供するために、選択的に組み合わされてもよいことを企図し、想定していることが理解されよう。したがって、上記の説明は、例として与えられているにすぎず、本開示の範囲内で細部の修正が施されてもよいことがさらに諒解されよう。
【符号の説明】
【００８７】
150  装着型デバイス
150a  装着型デバイス
150b  装着型デバイス
150c  装着型デバイス
155  センサシステム
160  インターフェースシステム
165  制御システム
205  ユーザの体
305  指紋センサ
500  モバイルデバイス
500a  モバイルデバイス
500b  モバイルデバイス
517  ネットワーク
525  ゲートウェイ
545  データセンタ
550  スイッチ
555  ルータ
560  記憶デバイス
565  サーバ
570  ワークステーション
605  生体センサシステム
610  インターフェースシステム
615  制御システム
【図１Ａ】
0006574205.tif 000002
【図１Ｂ】
0006574205.tif 000003
【図２】
0006574205.tif 000004
【図３】
0006574205.tif 000005
【図４】
0006574205.tif 000006
【図５】
0006574205.tif 000007
【図６】
0006574205.tif 000008
【図７】
0006574205.tif 000009